(57)【特許請求の範囲】
【請求項１】
スライダーと、
略冂字形状を成し、スライドウェイ上に覆設され、その上に線形的に往復動するスライダーと、
スライダーの両端面にそれぞれ取り付けられ、その上にスライダーが貫通するための第１の凹部及び収容槽が設けられる両エンドカバーと、
それぞれエンドカバーの外側に取り付けられ、その上に、それぞれ第２の凹部、取付部、通孔、凸部及び段付き溝を設け、第２の凹部がスライドウェイを貫通させるために用いられ、取付部には収容穴を設置し、該収容穴と通孔とを連通し、さらに、収容穴上に当接面を設置する両外エンドカバーと、
通孔に貫通し、その上に嵌合部及び当接部を設け、当接部に当接面を設置する固定具と、
前記当接部と前記収容穴との間に設けられる弾性子と、
前記エンドカバーの外側に取り付けられ、その上に第３の凹部、穿孔及び引掛部を設置し、該第３の凹部がスライドウェイを貫通させるために用いられ、その上にスライドウェイの端面輪郭と同一で、かつ該スライドウェイの表面に貼り合せたリップ部を設け、前記穿孔が通孔に対応して設けられ、引掛部が凸部に対応して設けられる屑掻取り装置と
を含むことを特徴とするリニアスライドウェイ屑掻取り装置。
【請求項２】
前記外エンドカバーは、前記エンドカバーに取り付けた後、前記取付部をエンドカバーの収容槽内に収容して、前記段付き溝とエンドカバーの両側の内縁とによりシュートを形成することを特徴とする請求項１記載のリニアスライドウェイ屑掻取り装置。
【請求項３】
前記当接部は、定位台を設置することを特徴とする請求項１記載のリニアスライドウェイ屑掻取り装置。
【請求項４】
前記嵌合部は、前記当接部とを接続して垂直に設置されることを特徴とする請求項１記載のリニアスライドウェイ屑掻取り装置。
【請求項５】
前記弾性子の一端は、前記当接部の定位台に収容され、他端が弾力的に支持され前記収容穴の一側に寄りかかることを特徴とする請求項３記載のリニアスライドウェイ屑掻取り装置。
【発明の詳細な説明】
【技術分野】
【０００１】
本発明は、リニアスライドウェイ屑掻取り装置に関し、特に速やかに取り外し、取り付け可能な屑掻取り装置に関する。
【背景技術】
【０００２】
今までのリニアスライドウェイは、工業方面において多く応用されつつあるが、リニアフィード伝動としての高精密度効果を有する他、さらに摩擦の損耗率が小さくエネルギーの転換率が高い、また小騒音で、かつ高剛度の損害し難い利点を有しているので、現にリニアスライドウェイが各工業に応用される工作機械などとして、その重要性は、言うまでもない。
【０００３】
従来のリニアスライドウェイは、切り屑または粉塵などスライダー内部への侵入によるスライダーの運行能力まで影響することを防止するためには、通常、生産者がリニアスライドウェイ両側のエンドカバーに屑掻取り装置を増設することである。しかし、屑掻取り装置とエンドカバーとの組付方式では複雑になり、生産者または使用者が屑掻取り装置を取り換える時、必要な時間は相対的に増やされ、これをより具体的に説明するため、以下の従来技術を参照しながら説明する。
【０００４】
従来、よく使用され、または良く知られている屑掻取り装置は、図１５に示す従来のものがあり、以下、その構造について図面を参照しながら説明する。
【０００５】
従来の屑掻取り装置１２は、スライドウェイ１１を貫通させるための溝口１２２を備え、屑掻取り装置１２における溝口１２２の周りにスライドウェイ１１の端面形状に合わせあた接触部１２１が設置される。接触部１２１は、軟質ゴムまたはプラスチック材質から製作され、該接触部１２１がスライドウェイ１１の端面を囲んでその接触を維持することができる。また、屑掻取り装置１２は、複数のねじＧでそれぞれスライダー１４の両エンドカバー１３の外端面に組み付け、該屑掻取り装置１２は、スライダー１４とスライドウェイ１１とが往復動して変位する際に、スライドウエイ１１上の粉塵、異物など予め掻き取り、粉塵、異物が両エンドカバー１３を介して侵入してスライダー１４に入り、スライダー１４と両エンドカバー１３とに循環還流させるボール（図示せず）が粉塵に接触して順調に回転変位できないことを防止できる機能としている。しかし、このような従来技術の設計は、以下の問題を生じてくる。
【０００６】
１．屑掻取り装置の取付時間がかかる。
２．この屑掻取り装置は、長期間の使用により、排屑部が破損、または疲労により、その効果が失ってしまうため、このような設計は、使用者に取り外し難く、粉塵または雑質がスライダーの内部に入りやすく回転路面に傷を与えてしまうことにより、リニアスライダーの使用寿命を低減させることになる。
【０００７】
前記の問題を解決するために、当業界では、例えばアメリカ特許第６,１０６,１５４号のような屑掻取り装置が積極的に研究開発された。その詳しい構造は、以下ように説明する。
【０００８】
当該出願の内容を参照するように、屑掻取り装置は、複数の通孔を設置し、エンドカバーの外側は、通孔に対してリブを設置する。通孔とリブとを合せて（係止方式で合わせる）、屑掻取り装置をエンドカバー上に固定させ、速やかに取り付けられる機能を達成できる。しかし、屑掻取り装置を外す時、複数のリブ及び通孔を同時に分離させる必要があるだけでなく、工具の補助によらなければ取外すことができないため、当該出願に存在する問題は、なお解決する必要がある。
【特許文献１】アメリカ特許第６,１０６,１５４号明細書
【発明の開示】
【発明が解決しようとする課題】
【０００９】
前記従来の屑掻取り装置の問題点に鑑みて本発明者は、研究して改良した後、漸く本発明下記の目的を達成する発明を生み出すことができた。
【００１０】
即ち、本発明は、主に屑掻取り装置が如何なる手工具も借りずに速やかに脱着機能を達成できることを目的とする。
【課題を解決するための手段】
【００１１】
前記目的を達成するために、本発明のリニアスライドウェイの屑掻取り装置に関しては、主に、外エンドカバー上に収容穴、通孔、段付き溝及び複数の凸部を設置する。収容穴は、通孔とを連通して該通孔に固定具を設置し、また固定具と収容穴との間に弾性子を設置することによって、固定具が押圧して弾性子により原始状態に回復できる機能を備える。外エンドカバーは、エンドカバーの外側に取り付けられ、この外エンドカバーをエンドカバーに取り付けた後、段付き溝とエンドカバーの内縁とによりシュートを形成する。この屑掻取り装置には凸部に対して引掛部と、通孔に対して穿孔とをそれぞれ設置する。取付ける時、凸部と引掛部、または固定具と穿孔との合せにより、屑掻取り装置と外エンドカバーとの快速的に定位または脱着機能を達成でき、また、取り付け過程において手工具を借りずに実施することができる。
【発明の効果】
【００１２】
屑掻取り装置が取付けやすく、組み付けコストを節約できる。屑掻取り装置を取り換えやすく、屑掻取り装置が破損した場合、使用者が、破損した屑掻取り装置を取外して新しい屑掻取り装置を取り換えることができ、リニアスライドウェイの使用寿命を延長させることができる。
【発明を実施するための最良の形態】
【００１３】
本発明の特徴を明確に説明するために、以下、本発明が従来の技術より進歩的かつ実用的な実施形態について説明する。
【００１４】
本発明の実施例は、図１乃至図１４に示すように、本発明は、リニアスライドウェイの屑掻取り装置であって、スライドウェイ１、スライダー２、両エンドカバー３、両外エンドカバー４、固定具５、弾性子６及び屑掻取り装置７を含む。
【００１５】
前記スライダー２は、略冂字形体を成し、スライドウェイ１上に覆設すると共に、その上を線形的に往復動する。
【００１６】
前記両エンドカバー３は、それぞれスライダー２の両端面に取り付けられ、その上にスライドウェイ１を貫通させるための第１の凹部及び収容槽３１を設置する。
【００１７】
前記両外エンドカバー４は、それぞれエンドカバー３の外側に取り付けられ、その上に第２の凹部４５、取付部４１、通孔４２、凸部４３及び段付き溝４４を設置する。第２の凹部４５は、スライドウェイを貫通するために用いられ、取付部４１は、収容穴４１１を設置して該収容穴４１１と通孔４２とを連通させると共に、収容穴４１１上に当接面４１１１を設置する。外エンドカバー４は、エンドカバー３に取り付けた後、該取付部４１がエンドカバー３の収容槽３１内に収容され、段付き溝４４とエンドカバー３の両側の内縁により、シュート８０（図６に示す）を形成する。
【００１８】
前記固定具５は、外エンドカバー４の通孔４２を貫設し、その上に嵌合部５１及び当接部５２を設置する。嵌合部５１は、当接部５２とを接続して垂直に設けられ、また該嵌合部５１の前端にリード角５１１を設置する。当接部５２は、当接面５２１及び定位部５２２を設置し、固定具５が使用しない状態では、当接面５２１が前記外エンドカバー４の当接面４１１１上に当接する。
【００１９】
前記弾性子６は、固定具５の当接部５２と外エンドカバー４の収容穴４１１との間〔詳しく言えば、該弾性子６の一端が当接部５２の定位台５２２（定位台がなくても実施可能）に収容され、他端は、弾性的支持により収容穴４１１の一側に寄りかかる（図１０に示す）〕に設置され、該固定具５に原始状態に回復できる弾性力を提供するためのものである。
【００２０】
前記屑掻取り装置７は、エンドカバー３の外側に取り付けられ、その上に第３の凹部７２、穿孔７１及び引掛部７３を設置する。第３の凹部７２は、スライドウェイ１を貫通させるためのもので、その上にスライドウェイ１の端面輪郭と同じで、かつスライドウェイ１の表面に貼り付けられたリップ部７２１を設置する。スライダー２は、スライドウェイ１上に往復動する際に、該リップ部７２１がスライドウェイ１上に付着した粉塵、異物を予め掻き取ることができ、それにより、粉塵、異物は、両エンドカバー３を介して侵入し、スライダー２に入ることを防止することができる。穿孔７１は、外エンドカバー４の通孔４２に対応して設置され、引掛部７３は、凸部４３に対応して設置され、その上に係止部７３２及び屑掻取り装置７の本体とからなる凹部７３１を設置する。
【００２１】
前記は、各素子の細部的説明、または互いの合せ関係であって、以下、本実施例の実施方式を説明する。
【００２２】
本発明の屑掻取り装置７は、引掛部７３と凸部４３とを合わせ、または固定具５と穿孔７１とを合わせて、屑掻取り装置７と外エンドカバー４とを速やかに定位または脱着機能を達成でき、その実施方式は、下記のように説明する。
【００２３】
前記屑掻取り装置７の引掛部７３は、外エンドカバー４の段付き溝４４及びエンドカバー３の内縁に一致させシュート８０を形成する。引掛部７３をシュート８０に嵌入した後、スライド方式で屑掻取り装置７を下から上方向へ推進させ（図９の取付方向Ｂに示すように）該屑掻取り装置７の穿孔７１が固定具５の嵌合部５１のリード角５１１（該リード角５１１は、主に取り付け便利に、屑掻取り装置７の穿孔７１を案内して嵌合部５１に嵌合させる。）に接触して該屑掻取り装置７に対して軸方向スラストＥを施すことにより、固定具５が弾性子６を圧迫して内方向へ退縮（図１１に示す）することになり、さらに、該屑掻取り装置７の穿孔７１は、嵌合部５１に合わせて定位することができると共に、該屑掻取り装置７の引掛部７３は、外エンドカバー４の凸部４３とも合わせて定位〔引掛部７３の係止部７３２は、凸部４３とシュート８０との間に収容され、該凸部４３が凹部７３１に収容される（図１４に示すように）〕して該屑掻取り装置７の取り付けを完成する。また、屑掻取り装置７を取外す時、指で固定具５を押して内方向へ退縮させ、その後、さらに屑掻取り装置７に対して下方向へ摺動するように下方向へスラストを施し、引掛部７３と凸部４３とを分離させ、それを取り外すことができる。
【００２４】
以上述べたように、本発明は、生産者または使用者に速やかに脱着可能な屑掻取り装置を提供できると共に、該屑掻取り装置は、リニアスライドウェイに欠かせないものであるため、この装置がなければシニアスライドウェイの寿命を短縮させることになる。また、屑掻取り装置は、（使用環境により）一定の使用寿命を有しているので、使用者により簡易に取り換えられる屑掻取り装置の構造設計を開発することでは、今まで業界の発展要点の一つである。また、本発明の構造設計により、その脱着方式はより簡単で、かつ理解しやすいため、使用者がより簡易にＤＩＹして取り換えることができ、維持コストもかなり低減することができる。したがって、本発明は、既に「産業上の利用可能性」を備えていることは明らかで、かつ本実施例に開示された技術特徴においても出願前の諸刊行物に開示されておらず、また公開に使用することもなく、前記効果の増進する事実を有するだけでなく、その付加的な効果の増進も見損なうことができないので、本発明は、「新規性」及び「進歩性」の何れも特許としての要件に合致してので、法により出願して審査を通じて逸早く許可されることを期する。
【００２５】
また、以上の述べた実施例の開示は、本発明を説明するためのもので、本発明を制限するものではないので、凡そ数値的な変化や等効素子の置換など何れも本発明の範疇に属する。
【図面の簡単な説明】
【００２６】
【図１】本発明が持つ屑掻取り装置のリニアスライドウェイの分解図。
【図２Ａ】本発明の固定具の立体図。
【図２Ｂ】本発明の固定具の立体図。
【図３】本発明のエンドカバーの立体図。
【図４】本発明の外エンドカバーの立体図。
【図５】本発明の外エンドカバーの立体図。
【図６】本発明のエンドカバー及び外エンドカバーの組合せ立体図。
【図７】本発明の外エンドカバー、弾性子及び固定具の組合せ立体図。
【図８Ａ】本発明の屑掻取り装置の立体図。
【図８Ｂ】図８Ａ部分の一部拡大図。
【図９】本発明の屑掻取り装置の取付方向の見取図。
【図１０】本発明の取付けステップ１の見取図（図１３のＤ−Ｄ断面図）。
【図１１】本発明の取付けステップ２の見取図（図１３のＤ−Ｄ断面図）。
【図１２】本発明の取付けステップ３の見取図（図１３のＤ−Ｄ断面図）。
【図１３】本発明の屑掻取り装置の取付け完成した後の端面図。
【図１４】図１３のＣ方向からの見取図。
【図１５】従来技術の見取図。
【符号の説明】
【００２７】
（本発明）
１    スライドウェイ                    ２    スライダー
３    エンドカバー
３１    収容槽                          ３２    第１の凹部
４    外エンドカバー
４１    取付部                        ４１１    収容穴
４１１１    当接面
４２    通孔                            ４３    凸部
４４    段付き溝                        ４５    第２の凹部
５    固定具
５１    嵌合部                        ５１１    リード角
５２    当接部                        ５２１    当接面
５２２    定位台
６    弾性子
７    屑掻取り装置
７１    穿孔
７２    第３の凹部                    ７２１    リップ部
７３    引掛部                        ７３１    凹部
７３２    係止部
８０    シュート
Ｂ    取付け方向                        Ｅ    軸方向のスラスト
（従来技術）
１０    リニアスライドウェイ            １１    スライダー
１２    屑掻取り装置                  １２１    接触部
１４    スライダー                        Ｇ    ねじ
【図１】
0004436390.tif 000002
【図２Ａ】
0004436390.tif 000003
【図２Ｂ】
0004436390.tif 000004
【図３】
0004436390.tif 000005
【図４】
0004436390.tif 000006
【図５】
0004436390.tif 000007
【図６】
0004436390.tif 000008
【図７】
0004436390.tif 000009
【図８Ａ】
0004436390.tif 000010
【図８Ｂ】
0004436390.tif 000011
【図９】
0004436390.tif 000012
【図１０】
0004436390.tif 000013
【図１１】
0004436390.tif 000014
【図１２】
0004436390.tif 000015
【図１３】
0004436390.tif 000016
【図１４】
0004436390.tif 000017
【図１５】
0004436390.tif 000018